(57)【要約】【課題】  シート材が配置部材から外れることを防止できるシート材固定装置を得る。【解決手段】  露光部１８では、前端チャック２８が印刷版１２の前端を回転ドラム２４の周面へ押し付けて固定すると共に、後端チャック４２が印刷版１２の後端を反前端チャック２８側へ引っ張りつつ回転ドラム２４の周面へ押し付けて固定する。ここで、前端チャック２８による印刷版１２の押付力により印刷版１２に作用する前端チャック２８との間及び回転ドラム２４の周面との間の摩擦力の合計が、回転ドラム２４の回転による遠心力により印刷版１２に作用する反前端チャック２８側への張力と後端チャック４２により印刷版１２に作用する反前端チャック２８側への引張力との合計以上にされている。このため、前端チャック２８による印刷版１２の回転ドラム２４周面への固定が解除されることを防止でき、印刷版１２が回転ドラム２４の周面から外れることを防止できる。【選択図】    図１
2005082330.tif 000002
【特許請求の範囲】
【請求項１】
シート材が配置され、回転される配置部材と、
前記シート材を前記配置部材へ押し付けて固定する第１固定部材と、
前記シート材を反前記第１固定部材側へ引っ張って前記配置部材へ固定する第２固定部材と、
を備えたシート材固定装置であって、
前記第１固定部材による前記シート材の押付力により前記シート材に作用する前記第１固定部材との間及び前記配置部材との間の摩擦力の合計を、前記配置部材の回転による遠心力により前記シート材に作用する反前記第１固定部材側への張力と前記第２固定部材により前記シート材に作用する反前記第１固定部材側への引張力との合計以上にした、
ことを特徴とするシート材固定装置。
【請求項２】
シート材が配置され、回転される配置部材と、
前記シート材を前記配置部材へ押し付けて固定する第１固定部材と、
前記シート材を反前記第１固定部材側へ引っ張って前記配置部材へ固定する第２固定部材と、
を備えたシート材固定装置であって、
前記第１固定部材による前記シート材の押付力により前記シート材に作用する前記第１固定部材との間及び前記配置部材との間の摩擦力の合計を、前記配置部材の回転による遠心力により前記シート材に作用する反前記第１固定部材側への張力の２倍以上にした、
ことを特徴とするシート材固定装置。
【請求項３】
シート材が配置される配置部材と、
前記シート材を前記配置部材へ固定する第１固定部材と、
前記シート材を反前記第１固定部材側へ引っ張って前記配置部材へ固定する第２固定部材と、
を備えたシート材固定装置であって、
前記第２固定部材が前記シート材を固定する際における前記第２固定部材による前記シート材の引張量を、前記シート材における前記第１固定部材による固定位置から当該固定位置より反前記第２固定部材側の端縁までの長さ以下にした、
ことを特徴とするシート材固定装置。
【請求項４】
シート材が配置され、回転される配置部材と、
前記シート材を前記配置部材へ押し付けて固定する固定部材と、
を備えたシート材固定装置であって、
前記固定部材による前記シート材の押付力により前記シート材に作用する前記固定部材との間及び前記配置部材との間の最低保証摩擦力の合計を、前記配置部材の回転による遠心力により前記シート材に作用する張力以上にした、
ことを特徴とするシート材固定装置。
【発明の詳細な説明】
【技術分野】
【０００１】
本発明は、シート材を配置部材へ固定するシート材固定装置に関する。
【背景技術】
【０００２】
画像記録装置としては、回転ドラムの外周面に印刷版を巻き付けて印刷版に画像を記録するものがある（例えば、特許文献１参照）。
【０００３】
このような画像記録装置では、例えば回転ドラムの内部と外周面とが連通されており、回転ドラムの内部を減圧することで、回転ドラムの外周面に印刷版を吸着させて密着保持する。
【０００４】
ここで、回転ドラムの回転中に、回転ドラムの外周面から印刷版が浮く等することにより印刷版の回転ドラム外周面への吸着不良が発生すると、印刷版の回転ドラム外周面への吸着不良が検出されてから印刷版が回転ドラムの外周面から完全に外れるまでに、回転ドラムの回転を停止させる必要がある。
【０００５】
しかしながら、特に回転ドラムの高速回転中（印刷版への画像の記録中）では、印刷版が回転ドラムの外周面から外れかける際における印刷版の挙動を検出することは困難であり、このため、印刷版が回転ドラムの外周面から完全に外れるまでに回転ドラムの回転を停止させることは困難である。
【０００６】
これにより、いかなる状況でも印刷版が回転ドラムの外周面から外れない機構が必要になる。
【特許文献１】特開２０００−１１２１４２公報
【発明の開示】
【発明が解決しようとする課題】
【０００７】
本発明は上記事実を考慮し、シート材が配置部材から外れることを防止できるシート材固定装置を得ることが目的である。
【課題を解決するための手段】
【０００８】
請求項１に記載のシート材固定装置は、シート材が配置され、回転される配置部材と、前記シート材を前記配置部材へ押し付けて固定する第１固定部材と、前記シート材を反前記第１固定部材側へ引っ張って前記配置部材へ固定する第２固定部材と、を備えたシート材固定装置であって、前記第１固定部材による前記シート材の押付力により前記シート材に作用する前記第１固定部材との間及び前記配置部材との間の摩擦力の合計を、前記配置部材の回転による遠心力により前記シート材に作用する反前記第１固定部材側への張力と前記第２固定部材により前記シート材に作用する反前記第１固定部材側への引張力との合計以上にした、ことを特徴としている。
【０００９】
請求項２に記載のシート材固定装置は、シート材が配置され、回転される配置部材と、前記シート材を前記配置部材へ押し付けて固定する第１固定部材と、前記シート材を反前記第１固定部材側へ引っ張って前記配置部材へ固定する第２固定部材と、を備えたシート材固定装置であって、前記第１固定部材による前記シート材の押付力により前記シート材に作用する前記第１固定部材との間及び前記配置部材との間の摩擦力の合計を、前記配置部材の回転による遠心力により前記シート材に作用する反前記第１固定部材側への張力の２倍以上にした、ことを特徴としている。
【００１０】
請求項３に記載のシート材固定装置は、シート材が配置される配置部材と、前記シート材を前記配置部材へ固定する第１固定部材と、前記シート材を反前記第１固定部材側へ引っ張って前記配置部材へ固定する第２固定部材と、を備えたシート材固定装置であって、前記第２固定部材が前記シート材を固定する際における前記第２固定部材による前記シート材の引張量を、前記シート材における前記第１固定部材による固定位置から当該固定位置より反前記第２固定部材側の端縁までの長さ以下にした、ことを特徴としている。
【００１１】
請求項４に記載のシート材固定装置は、シート材が配置され、回転される配置部材と、前記シート材を前記配置部材へ押し付けて固定する固定部材と、を備えたシート材固定装置であって、前記固定部材による前記シート材の押付力により前記シート材に作用する前記固定部材との間及び前記配置部材との間の最低保証摩擦力の合計を、前記配置部材の回転による遠心力により前記シート材に作用する張力以上にした、ことを特徴としている。
【発明の効果】
【００１２】
請求項１に記載のシート材固定装置では、第１固定部材がシート材を配置部材へ押し付けて固定すると共に、第２固定部材がシート材を反第１固定部材側（第２固定部材側）へ引っ張って配置部材へ固定する。
【００１３】
ここで、第１固定部材によるシート材の押付力によりシート材に作用する第１固定部材との間及び配置部材との間の摩擦力の合計が、配置部材の回転による遠心力によりシート材に作用する反第１固定部材側への張力ととの合計以上にされている。このため、シート材に第２固定部材による反第１固定部材側への引張力が作用しても、配置部材の回転中に第１固定部材によるシート材の固定が解除されることを防止でき、シート材が配置部材から外れることを防止することができる。
【００１４】
請求項２に記載のシート材固定装置では、第１固定部材がシート材を配置部材へ押し付けて固定すると共に、第２固定部材がシート材を反第１固定部材側（第２固定部材側）へ引っ張って配置部材へ固定する。
【００１５】
ところで、第２固定部材がシート材を反第１固定部材側へ引っ張った状態を常に維持するためには、第２固定部材によりシート材に作用する反第１固定部材側への引張力を、配置部材の回転による遠心力によりシート材に作用する反第２固定部材側（第１固定部材側）への張力以上にしなければならない。
【００１６】
また、配置部材の回転による遠心力によりシート材に作用する反第２固定部材側への張力は、配置部材の回転による遠心力によりシート材に作用する反第１固定部材側への張力と等しい。
【００１７】
すなわち、第２固定部材によりシート材に作用する反第１固定部材側への引張力は、配置部材の回転による遠心力によりシート材に作用する反第１固定部材側への張力以上であらなければならない。
【００１８】
ここで、第１固定部材によるシート材の押付力によりシート材に作用する第１固定部材との間及び配置部材との間の摩擦力の合計を、配置部材の回転による遠心力によりシート材に作用する反第１固定部材側への張力と第２固定部材によりシート材に作用する反第１固定部材側への引張力（配置部材の回転による遠心力によりシート材に作用する反第１固定部材側への張力以上のもの）との合計以上にすることで、配置部材の回転中に第１固定部材によるシート材の固定が解除されることを防止できる。
【００１９】
このため、第１固定部材によるシート材の押付力によりシート材に作用する第１固定部材との間及び配置部材との間の摩擦力の合計が、配置部材の回転による遠心力によりシート材に作用する反第１固定部材側への張力の２倍以上にされている。これにより、シート材に第２固定部材による反第１固定部材側への引張力が作用しても、配置部材の回転中に第１固定部材によるシート材の固定が解除されることを防止でき、シート材が配置部材から外れることを防止することができる。
【００２０】
請求項３に記載のシート材固定装置では、第１固定部材がシート材を配置部材へ固定すると共に、第２固定部材がシート材を反第１固定部材側（第２固定部材側）へ引っ張って配置部材へ固定する。
【００２１】
ここで、第２固定部材がシート材を固定する際における第２固定部材によるシート材の引張量が、シート材における第１固定部材による固定位置から当該固定位置より反第２固定部材側の端縁までの長さ以下にされている。このため、仮に当該固定位置においてシート材の第１固定部材との間や配置部材との間の摩擦力が非常に小さい場合でも、第１固定部材によるシート材の固定が解除される前に、第２固定部材によるシート材の引張動作が終了する。これにより、第１固定部材によるシート材の固定が解除されることを防止でき、シート材が配置部材から外れることを防止することができる。
【００２２】
請求項４に記載のシート材固定装置では、固定部材がシート材を配置部材へ押し付けて固定する。
【００２３】
ここで、固定部材によるシート材の押付力によりシート材に作用する固定部材との間及び配置部材との間の最低保証摩擦力の合計が、配置部材の回転による遠心力によりシート材に作用する張力以上にされている。このため、固定部材とシート材との間やシート材と配置部材との間の摩擦力が汚れ等により低下しても、配置部材の回転中に固定部材によるシート材の固定が解除されることを防止でき、シート材が配置部材から外れることを防止することができる。
【発明を実施するための最良の形態】
【００２４】
図１には、本発明のシート材固定装置が適用されて構成された実施の形態に係る印刷版自動露光装置１０が側面図にて示されている。
【００２５】
本実施の形態に係る印刷版自動露光装置１０は、シート材としてのフォトポリプレートやサーマルプレート等の印刷版１２における支持体上の画像形成層（感光層や感熱層等）に画像を露光（記録）するものであり、所謂アウタードラムプレートセッターとされている。
【００２６】
印刷版自動露光装置１０は、搬送ガイドユニット１４と、パンチ部１６と、露光部１８と、に分かれており、搬送ガイドユニット１４の前方にパンチ部１６及び露光部１８が配置されると共に、パンチ部１６の下方に露光部１８が配置されている。
【００２７】
搬送ガイドユニット１４は、略四角形平板状の給版ガイド２０と排版ガイド２２とを有しており、給版ガイド２０と排版ガイド２２とは互いの相対位置関係が横Ｖ字型とされている。搬送ガイドユニット１４は、給版ガイド２０の後端付近を中心として所定角度回動する構造となっており、この回動によって、搬送ガイドユニット１４を選択的にパンチ部１６や露光部１８に対応させることができる。また、給版ガイド２０上には、印刷版１２が供給される。
【００２８】
ここで、搬送ガイドユニット１４が回動されてパンチ部１６に対応（対向）されることで、給版ガイド２０上の印刷版１２の前端部がパンチ部１６内に搬送されて、パンチ部１６によって印刷版１２の前端部に例えば円孔と長孔等の所定数のパンチ孔（図示省略）が穿孔される。パンチ部１６での処理が終了すると、印刷版１２が給版ガイド２０上へ戻される。
【００２９】
露光部１８は、配置部材としての円柱状の回転ドラム２４を備えており、回転ドラム２４は、図１の矢印Ａ及び矢印Ｂの方向へ回転可能とされている。回転ドラム２４の周面には、断面台形状の装着溝２６（図３参照）が所定数（本実施の形態では４対）形成されており、各装着溝２６は、回転ドラム２４周面の周方向略全体に配置されている。
【００３０】
ここで、上述の如くパンチ部１６から給版ガイド２０上へ印刷版１２が戻されると、搬送ガイドユニット１４が回動されて露光部１８に対応される（給版ガイド２０及び排版ガイド２２が回転ドラム２４の接線方向に対向される）ことで、給版ガイド２０から回転ドラム２４の周面上に印刷版１２の前端が搬送（配置）されて、印刷版１２が位置決めされる。
【００３１】
図２に詳細に示す如く、回転ドラム２４の周面には、印刷版１２の前端が搬送される位置において、第１固定部材としての所定数（本実施の形態では１１個）の前端チャック２８が左右方向に沿って設けられている。前端チャック２８は、後端近傍の支軸３０において回転ドラム２４に回転自在に支持されると共に、前端チャック２８の前側には回転ドラム２４の周面から離間される方向へ弾性力が付与されている。
【００３２】
所定数の前端チャック２８の上方には前端チャック開閉ユニット３２が設けられており、前端チャック開閉ユニット３２には、所定数（本実施の形態では１１個）の押しピン３４が設けられている。各押しピン３４は棒状とされて前端チャック開閉ユニット３２から各前端チャック２８へ向けて突出しており、各押しピン３４が各前端チャック２８の前側を押圧することで、各前端チャック２８の後端が上記弾性力に抗して回転ドラム２４の周面から離間している。これにより、上述の如く給版ガイド２０から回転ドラム２４の周面上に搬送される印刷版１２の前端が各前端チャック２８の後端と回転ドラム２４の周面との間に挿入され、この状態で上記印刷版１２の位置決めが行われる。
【００３３】
また、印刷版１２の位置決めが終了した後には、各押しピン３４が各前端チャック２８から離間して各前端チャック２８前側の押圧を解除することで、各前端チャック２８の後端が上記弾性力により印刷版１２の前端を回転ドラム２４の周面に押し付けて、回転ドラム２４の周面に印刷版１２の前端が固定される。さらに、回転ドラム２４の周面に印刷版１２の前端が固定されると、回転ドラム２４が図１の矢印Ａの方向へ回転されて、印刷版１２が回転ドラム２４の周面に巻き付けられる。
【００３４】
回転ドラム２４の周面近傍には、前端チャック開閉ユニット３２よりも図１の矢印Ａの方向側において、円柱状のスクイズローラ３６が配設されている。スクイズローラ３６は、回転ドラム２４側へ移動されることで、回転ドラム２４の周面に巻き付けられる印刷版１２を回転ドラム２４へ向けて押圧しつつ回転され、印刷版１２を回転ドラム２４の周面に密着させる。
【００３５】
回転ドラム２４の周面近傍には、前端チャック開閉ユニット３２よりも図１の矢印Ｂの方向側において、後端チャック着脱ユニット３８が配設されている。後端チャック着脱ユニット３８は所定数（本実施の形態では４個）のシャフト４０を有しており、各シャフト４０の先端（下端）には、第２固定部材及び固定部材としての後端チャック４２が保持されている。
【００３６】
図３に詳細に示す如く、後端チャック４２の前側には一対の装着レバー４４が設けられており、回転ドラム２４の周面に巻き付けた印刷版１２の後端が後端チャック着脱ユニット３８に対向すると、後端チャック着脱ユニット３８が各後端チャック４２と共に回転ドラム２４側へ移動して、各後端チャック４２の一対の装着レバー４４を回転ドラム２４の各対の装着溝２６に装着する。これにより、各後端チャック４２が回転ドラム２４に装着されると共に、各シャフト４０から各後端チャック４２が離脱される。
【００３７】
後端チャック４２の後側には一対のアーム４６が設けられており、アーム４６は、略長方体棒状とされて、基端が後端チャック４２に回転可能に支持されている。アーム４６は先端が回転ドラム２４へ向かう方向へ付勢されており、各後端チャック４２が回転ドラム２４に装着される際には、各後端チャック４２の一対のアーム４６が回転ドラム２４の各対の装着溝２６に挿入されて各対の装着溝２６の底面を押圧する。これにより、各後端チャック４２の前端が印刷版１２を図１の矢印Ｂの方向側（反前端チャック２８側または後端チャック４２側）へ引っ張りつつ印刷版１２の後端を回転ドラム２４の周面に押し付けることで、回転ドラム２４の周面に印刷版１２の後端が固定される。
【００３８】
このように、各前端チャック２８及び各後端チャック４２によって印刷版１２の前端及び後端が回転ドラム２４の周面に固定されると、後端チャック着脱ユニット３８及びスクイズローラ３６が回転ドラム２４から離間された後に、回転ドラム２４が所定の回転速度で周方向へ高速回転される。
【００３９】
回転ドラム２４周面の後側近傍には、記録ヘッド４８が配設されており、記録ヘッド４８は、高速回転される回転ドラム２４に向け、この回転ドラム２４の回転に同期させて、読み込まれた画像データに基づいて変調した光ビームを照射し、これにより、印刷版１２が画像データに基づいて露光される。この露光処理は、回転ドラム２４を周方向へ高速で回転させながら（主走査）、記録ヘッド４８を回転ドラム２４の軸方向へ移動させる（副走査）、所謂走査露光である。
【００４０】
印刷版１２への走査露光が終了すると、回転ドラム２４の所定回転位置でスクイズローラ３６が印刷版１２に当接される。次に、所定数の後端チャック４２が後端チャック着脱ユニット３８に対向する位置で回転ドラム２４が一時停止されて、後端チャック着脱ユニット３８が所定数の後端チャック４２側へ移動される。これにより、後端チャック着脱ユニット３８によって、各後端チャック４２の一対の装着レバー４４が各対の装着溝２６から離脱されて各後端チャック４２が回転ドラム２４から取り外されることで、各後端チャック４２の前端による印刷版１２後端の固定が解除されると共に、各シャフト４０に各後端チャック４２が保持される。その後、後端チャック着脱ユニット３８が各後端チャック４２と共に回転ドラム２４から離間される。
【００４１】
さらに、回転ドラム２４が図１の矢印Ｂの方向へ回転されることで、印刷版１２が後端側から後方へ搬送されて排版ガイド２２へ排出される。この際、回転ドラム２４の所定回転位置でスクイズローラ３６が印刷版１２から離間されると共に、前端チャック開閉ユニット３２の各押しピン３４が回転ドラム２４側へ移動されて各前端チャック２８の前側を押圧することで、各前端チャック２８の後端による印刷版１２前端の固定が解除される。
【００４２】
また、印刷版１２が排版ガイド２２に送られると、搬送ガイドユニット１４が回動されて、排版ガイド２２から印刷版１２が排出され、これにより、印刷版１２が次工程の現像装置または印刷装置（図示省略）へ搬送される構成である。
【００４３】
ところで、図２及び図３に示す如く、印刷版１２の露光処理のために回転ドラム２４が高速回転される際には、所定数の前端チャック２８に印刷版１２を回転ドラム２４の周面へ押し付ける方向側への遠心力Ｗ１（合計の遠心力）が作用すると共に、所定数の後端チャック４２に印刷版１２を回転ドラム２４の周面へ押し付ける方向側への遠心力Ｗ２（合計の遠心力）が作用し、かつ、印刷版１２に遠心力によって反前端チャック２８側（後端チャック４２側）及び反後端チャック４２側（前端チャック２８側）への張力Ｔが作用する。このため、所定数の前端チャック２８に作用する遠心力Ｗ１及び各前端チャック２８に付与された弾性力によって、所定数の前端チャック２８は、印刷版１２を回転ドラム２４の周面に、回転ドラム２４径方向内側へ押付力Ｆ１（合計の押付力）で押し付ける。さらに、所定数の後端チャック４２に作用する遠心力Ｗ２及び各反後端チャック４２（各対のアーム４６）に付与された付勢力によって、所定数の後端チャック４２は、印刷版１２を回転ドラム２４の周面に、回転ドラム２４径方向内側へ押付力Ｆ２（合計の押付力）で押し付ける。
【００４４】
また、回転ドラム２４の周面と印刷版１２との間の最低保証摩擦係数、前端チャック２８の後端と印刷版１２との間の最低保証摩擦係数、及び、後端チャック４２の前端と印刷版１２との間の最低保証摩擦係数は、全て０．２とされている。この最低保証摩擦係数は、例えば印刷版１２が１０万枚から２０万枚程度処理されて、印刷版１２、回転ドラム２４の周面、前端チャック２８、後端チャック４２が汚れた際等でも、実験的または経験的に保証されるものである。
【００４５】
このため、所定数の前端チャック２８による印刷版１２の押付力Ｆ１により印刷版１２に作用する所定数の前端チャック２８との間の最低保証摩擦力、及び、所定数の前端チャック２８による印刷版１２の押付力Ｆ１により印刷版１２に作用する回転ドラム２４の周面との間の最低保証摩擦力は、それぞれ０．２×Ｆ１となる。これにより、所定数の前端チャック２８による印刷版１２の押付力Ｆ１により印刷版１２に作用する所定数の前端チャック２８との間及び回転ドラム２４の周面との間の最低保証摩擦力の合計は、０．４×Ｆ１となる。
【００４６】
また、同様に、所定数の後端チャック４２による印刷版１２の押付力Ｆ２により印刷版１２に作用する所定数の後端チャック４２との間及び回転ドラム２４の周面との間の最低保証摩擦力の合計は、０．４×Ｆ２となる。
【００４７】
ここで、所定数の前端チャック２８による印刷版１２の押付力Ｆ１により印刷版１２に作用する所定数の前端チャック２８との間及び回転ドラム２４の周面との間の最低保証摩擦力の合計（０．４×Ｆ１）が、回転ドラム２４の高速回転による遠心力により印刷版１２に作用する反前端チャック２８側への張力Ｔと所定数の後端チャック４２により印刷版１２に作用する反前端チャック２８側への引張力との合計以上にされている。
【００４８】
さらに、所定数の前端チャック２８による印刷版１２の押付力Ｆ１により印刷版１２に作用する所定数の前端チャック２８との間及び回転ドラム２４の周面との間の最低保証摩擦力の合計（０．４×Ｆ１）が、回転ドラム２４の高速回転による遠心力により印刷版１２に作用する反前端チャック２８側への張力Ｔの２倍以上にされている。すなわち、０．４×Ｆ１≧２×Ｔであるため、Ｆ１≧５×Ｔとされている。
【００４９】
また、所定数の後端チャック４２による印刷版１２の押付力Ｆ２により印刷版１２に作用する所定数の後端チャック４２との間及び回転ドラム２４の周面との間の最低保証摩擦力の合計（０．４×Ｆ２）が、回転ドラム２４の高速回転による遠心力により印刷版１２に作用する反後端チャック４２側への張力Ｔ以上にされている。すなわち、０．４×Ｆ２≧Ｔであるため、Ｆ２≧２．５×Ｔとされている。
【００５０】
さらに、所定数の後端チャック４２が印刷版１２を回転ドラム２４の周面へ固定する際における所定数の後端チャック４２による印刷版１２の引張量が、印刷版１２における所定数の前端チャック２８による固定位置の後端チャック４２側端から当該固定位置より反後端チャック４２側の端縁（前端縁）までの長さ以下にされている。
【００５１】
次に、本実施の形態の作用を説明する。
【００５２】
以上の構成の印刷版自動露光装置１０では、先ず、印刷版１２の所謂手差しや自動枚葉装置等による送り込みによって、印刷版１２が給版ガイド２０に供給される。搬送ガイドユニット１４が回動されてパンチ部１６に対応されると、給版ガイド２０から印刷版１２がパンチ部１６へ搬送されて印刷版１２の前端部に所定数のパンチ孔が穿孔された後、印刷版１２が給版ガイド２０上へ戻される。
【００５３】
さらに、搬送ガイドユニット１４が回動されて露光部１８に対応されると、給版ガイド２０から印刷版１２が前方へ搬送されて回転ドラム２４に位置決めされる。このように位置決めされた印刷版１２は、前端と後端とがそれぞれ所定数の前端チャック２８と所定数の後端チャック４２とによって回転ドラム２４の周面に固定されると共にスクイズローラ３６によって回転ドラム２４の周面に密着されつつ、回転ドラム２４の図１の矢印Ａの方向への回転によって回転ドラム２４の周面に巻き付けられる。その後、回転ドラム２４が高速回転されて、記録ヘッド４８によって印刷版１２の露光処理が行われる。
【００５４】
印刷版１２の露光処理が終了すると、印刷版１２は、所定数の前端チャック２８及び所定数の後端チャック４２による回転ドラム２４の周面への固定が解除されると共にスクイズローラ３６によって回転ドラム２４の周面に押し付けられつつ、回転ドラム２４の図１の矢印Ｂの方向への回転によって回転ドラム２４から排版ガイド２２へ排出される。その後、搬送ガイドユニット１４が回動されて排版ガイド２２から印刷版１２が現像装置または印刷装置へ搬送される。
【００５５】
ところで、露光部１８では、所定数の前端チャック２８が印刷版１２の前端を回転ドラム２４の周面へ押し付けて固定すると共に、所定数の後端チャック４２が印刷版１２の後端を反前端チャック２８側へ引っ張りつつ回転ドラム２４の周面へ押し付けて固定する。
【００５６】
ここで、所定数の後端チャック４２が印刷版１２を回転ドラム２４の周面へ固定する際における所定数の後端チャック４２による印刷版１２の引張量が、印刷版１２における所定数の前端チャック２８による固定位置の後端チャック４２側端から当該固定位置より反後端チャック４２側の端縁（前端縁）までの長さ以下にされている。このため、仮に当該固定位置において印刷版１２と所定数の前端チャック２８との間や印刷版１２と回転ドラム２４の周面との間の摩擦力が汚れ等により非常に小さくなった場合でも、所定数の前端チャック２８による印刷版１２の固定が解除される前に、所定数の後端チャック４２による印刷版１２の引張動作が終了する。
【００５７】
これにより、所定数の後端チャック４２が印刷版１２を回転ドラム２４の周面へ固定する際に、所定数の前端チャック２８による印刷版１２の固定が解除されることを防止でき、所定数の前端チャック２８において印刷版１２が回転ドラム２４の周面から外れることを防止することができる。
【００５８】
また、所定数の後端チャック４２が印刷版１２を反前端チャック２８側へ引っ張った状態を常に維持するためには、所定数の後端チャック４２により印刷版１２に作用する反前端チャック２８側への引張力を、回転ドラム２４の高速回転による遠心力により印刷版１２に作用する反後端チャック４２側への張力Ｔ以上にしなければならない。
【００５９】
さらに、回転ドラム２４の高速回転による遠心力により印刷版１２に作用する反後端チャック４２側への張力Ｔは、回転ドラム２４の高速回転による遠心力により印刷版１２に作用する反前端チャック２８側への張力Ｔと等しい。
【００６０】
すなわち、所定数の後端チャック４２により印刷版１２に作用する反前端チャック２８側への引張力は、回転ドラム２４の高速回転による遠心力により印刷版１２に作用する反前端チャック２８側への張力Ｔ以上であらなければならない。
【００６１】
ここで、所定数の前端チャック２８による印刷版１２の押付力Ｆ１により印刷版１２に作用する所定数の前端チャック２８との間及び回転ドラム２４の周面との間の最低保証摩擦力の合計（０．４×Ｆ１）が、回転ドラム２４の高速回転による遠心力により印刷版１２に作用する反前端チャック２８側への張力Ｔと所定数の後端チャック４２により印刷版１２に作用する反前端チャック２８側への引張力（回転ドラム２４の高速回転による遠心力により印刷版１２に作用する反前端チャック２８側への張力Ｔ以上のもの）との合計以上にされている。
【００６２】
すなわち、所定数の前端チャック２８による印刷版１２の押付力Ｆ１により印刷版１２に作用する所定数の前端チャック２８との間及び回転ドラム２４の周面との間の最低保証摩擦力の合計（０．４×Ｆ１）が、回転ドラム２４の高速回転による遠心力により印刷版１２に作用する反前端チャック２８側への張力Ｔの２倍以上にされて、Ｆ１≧５×Ｔとされている。
【００６３】
これにより、印刷版１２に所定数の後端チャック４２による反前端チャック２８側への引張力が作用する場合に、印刷版１２と所定数の前端チャック２８との間や印刷版１２と回転ドラム２４の周面との間の摩擦力が汚れ等により低下しても、回転ドラム２４の高速回転中に所定数の前端チャック２８による印刷版１２の回転ドラム２４周面への固定が解除されることを防止でき、所定数の前端チャック２８において印刷版１２が回転ドラム２４の周面から外れることを防止することができる。
【００６４】
さらに、所定数の後端チャック４２による印刷版１２の押付力Ｆ２により印刷版１２に作用する所定数の後端チャック４２との間及び回転ドラム２４の周面との間の最低保証摩擦力の合計（０．４×Ｆ２）が、回転ドラム２４の高速回転による遠心力により印刷版１２に作用する反後端チャック４２側への張力Ｔ以上にされて、Ｆ２≧２．５×Ｔとされている。
【００６５】
このため、印刷版１２と所定数の後端チャック４２との間や印刷版１２と回転ドラム２４の周面との間の摩擦力が汚れ等により低下しても、回転ドラム２４の高速回転中に所定数の後端チャック４２による印刷版１２の回転ドラム２４周面への固定が解除されることを防止でき、所定数の後端チャック４２において印刷版１２が回転ドラム２４の周面から外れることを防止することができる。
【００６６】
以上により、印刷版１２が回転ドラム２４の周面から外れることを、常に防止することができる。
【図面の簡単な説明】
【００６７】
【図１】本発明の実施の形態に係る印刷版自動露光装置を示す概略的な側面図である。
【図２】本発明の実施の形態に係る印刷版自動露光装置における前端チャックによる印刷板の固定状況を示す側面図である。
【図３】本発明の実施の形態に係る印刷版自動露光装置における後端チャックによる印刷板の固定状況を示す側面図である。
【符号の説明】
【００６８】
１０    印刷版自動露光装置
１２    印刷版（シート材）
２４    回転ドラム（配置部材）
２８    前端チャック（第１固定部材）
４２    後端チャック（第２固定部材、固定部材）
【図１】
2005082330.tif 000003
【図２】
2005082330.tif 000004
【図３】
2005082330.tif 000005